(57)【特許請求の範囲】
【請求項１】
節を有するロックボルトに装着され、ロックボルト挿入用の削孔へのロックボルトの挿入を案内するためのロックボルト用スペーサであって、
上記ロックボルトが該ロックボルトの節を介して係合可能に挿通されるボルト保持部分と、
該ボルト保持部分に挿通される上記ロックボルトの外周囲を取り囲むと共に、上記削孔の内周面に摺接可能な包囲体部分とを備え、
上記ボルト保持部分は、上記ロックボルトのボルト軸を含む平面において、環状形態に形成され、
上記ボルト保持部分には、該ボルト保持部分に係合可能に挿通される上記ロックボルトのボルト軸を含む上記平面におけるボルト軸方向に相対向する位置に位置させて、２つで一組のロックボルト挿通部が、当該ボルト保持部分の周方向に間隔を隔てて複数形成され、
これらロックボルト挿通部は、異なる外径寸法の上記ロックボルトそれぞれに対応する異なる寸法で形成されることを特徴とするロックボルト用スペーサ。
【請求項２】
前記ロックボルト挿通部は、前記ボルト保持部分を貫通して形成された穴であることを特徴とする請求項１に記載のロックボルト用スペーサ。
【請求項３】
前記ロックボルト挿通部は、前記ボルト保持部分に形成されたスリット部と、該ボルト保持部分に、該スリット部に挿通される前記ロックボルト周りに互いに間隔を隔てて形成された第１係合部及び第２係合部とから構成され、上記第１係合部は、上記ロックボルトの節溝に該ロックボルトの径方向外方一方側から係合されると共に、上記第２係合部は、上記ロックボルトの節溝に該ロックボルトの径方向外方他方側から係合されることを特徴とする請求項１に記載のロックボルト用スペーサ。
【請求項４】
前記ボルト保持部分は、該ボルト保持部分に挿通される前記ロックボルトのボルト軸を含む前記平面もしくは当該平面と並行な平面で二つ割りされた一対の分割ピースの接合端を互いに接合して構成されることを特徴とする請求項１に記載のロックボルト用スペーサ。
【請求項５】
前記ロックボルト挿通部は、前記ボルト保持部分を貫通して形成された穴であり、
前記各分割ピースの前記接合端それぞれには、これら分割ピースが接合されることで前記穴を形成する切り欠きが形成されることを特徴とする請求項４に記載のロックボルト用スペーサ。
【請求項６】
前記ロックボルト挿通部は、前記ボルト保持部分に形成されたスリット部と、該ボルト保持部分に、該スリット部に挿通される前記ロックボルト周りに互いに間隔を隔てて形成された第１係合部及び第２係合部とから構成され、上記第１係合部は、上記ロックボルトの節溝に該ロックボルトの径方向外方一方側から係合されると共に、上記第２係合部は、上記ロックボルトの節溝に該ロックボルトの径方向外方他方側から係合され、
一対の前記分割ピースの一方の前記接合端には前記第１係合部が設けられ、他方の前記分割ピースの前記接合端には前記第２係合部が設けられることを特徴とする請求項４に記載のロックボルト用スペーサ。
【請求項７】
前記分割ピースはそれぞれ、中空筒体状で形成され、当該中空筒体状の軸方向について、これら分割ピースは両端に、前記ロックボルトのボルト軸を含む前記平面に対し反転可能な前記接合端を有することを特徴とする請求項４〜６いずれかの項に記載のロックボルト用スペーサ。
【請求項８】
一対の前記分割ピースの間には、これら分割ピースを結合して前記ボルト保持部分を構成するために、これら分割ピース同士を互いに回動自在に連結して接離可能とするヒンジ機構と、これら分割ピース同士を係脱可能に係止する係止手段とが設けられることを特徴とする請求項４〜７いずれかの項に記載のロックボルト用スペーサ。
【発明の詳細な説明】
【技術分野】
【０００１】
本発明は、異なる複数の外径寸法のロックボルトに１つの仕様で適用可能なロックボルト用スペーサに関する。
【背景技術】
【０００２】
ロックボルトに装着され、ロックボルト挿入用の削孔へのロックボルトの挿入を案内すると共に、ロックボルトと削孔の内周面との間に間隔を確保するためのロックボルト用スペーサとして、特許文献１が知られている。
【０００３】
特許文献１の「スペーサ」は、異形棒鋼に取り付ける抱持部を両端に有するちょうちん形スペーサは、異形棒鋼に係合させる係合部を一方の抱持部にしか設けられないため、他方の抱持部が移動して膨出部の径が小さくなるなど問題を有しているとの課題に対し、地盤に掘削したアンカー孔に挿通する異形棒鋼に装着して、該異形棒鋼と該アンカー孔の孔壁との間に間隙を形成させるもので、該異形棒鋼に係合させる係合部を設けた円筒状の抱持部を両端に有し、該抱持部間に複数の膨出部を備えた２つの本体構成片より成る２つ割構造であって、本体を構成する一対の本体構成片は、両端の半円状抱持部の一方に点対称位置に配する該係合部を設けると共に、各半円状抱持部の両側に本体軸方向に１ｍｍ以上の遊びを有する係着部を設けて構成されている。
【先行技術文献】
【特許文献】
【０００４】
【特許文献１】特開２００５−１４６５６０号公報
【発明の概要】
【発明が解決しようとする課題】
【０００５】
背景技術では、ロックボルトのボルト軸に沿う両端に設けられた円筒状の抱持部でロックボルトを本体に抱持する構成であった。このため、本体は、抱持部の寸法（内径）に合致する単一寸法（外径）のロックボルトを抱持し得るに過ぎず、すなわち、スペーサとロックボルトは、寸法関係が合致する１対１の仕様であり、ロックボルトの外径寸法毎に、スペーサを作製し、用意しなければならないという課題があった。
【０００６】
本発明は上記従来の課題に鑑みて創案されたものであって、異なる複数の外径寸法のロックボルトに１つの仕様で適用可能なロックボルト用スペーサを提供することを目的とする。
【課題を解決するための手段】
【０００７】
本発明にかかるロックボルト用スペーサは、節を有するロックボルトに装着され、ロックボルト挿入用の削孔へのロックボルトの挿入を案内するためのロックボルト用スペーサであって、上記ロックボルトが該ロックボルトの節を介して係合可能に挿通されるボルト保持部分と、該ボルト保持部分に挿通される上記ロックボルトの外周囲を取り囲むと共に、上記削孔の内周面に摺接可能な包囲体部分とを備え、上記ボルト保持部分は、上記ロックボルトのボルト軸を含む平面において、環状形態に形成され、上記ボルト保持部分には、該ボルト保持部分に係合可能に挿通される上記ロックボルトのボルト軸を含む上記平面におけるボルト軸方向に相対向する位置に位置させて、２つで一組のロックボルト挿通部が、当該ボルト保持部分の周方向に間隔を隔てて複数形成され、これらロックボルト挿通部は、異なる外径寸法の上記ロックボルトそれぞれに対応する異なる寸法で形成されることを特徴とする。
【０００８】
前記ロックボルト挿通部は、前記ボルト保持部分を貫通して形成された穴であることを特徴とする。
【０００９】
前記ロックボルト挿通部は、前記ボルト保持部分に形成されたスリット部と、該ボルト保持部分に、該スリット部に挿通される前記ロックボルト周りに互いに間隔を隔てて形成された第１係合部及び第２係合部とから構成され、上記第１係合部は、上記ロックボルトの節溝に該ロックボルトの径方向外方一方側から係合されると共に、上記第２係合部は、上記ロックボルトの節溝に該ロックボルトの径方向外方他方側から係合されることを特徴とする。
【００１０】
前記ボルト保持部分は、該ボルト保持部分に挿通される前記ロックボルトのボルト軸を含む前記平面もしくは当該平面と並行な平面で二つ割りされた一対の分割ピースの接合端を互いに接合して構成されることを特徴とする。
【００１１】
前記ロックボルト挿通部は、前記ボルト保持部分を貫通して形成された穴であり、前記各分割ピースの前記接合端それぞれには、これら分割ピースが接合されることで前記穴を形成する切り欠きが形成されることを特徴とする。
【００１２】
前記ロックボルト挿通部は、前記ボルト保持部分に形成されたスリット部と、該ボルト保持部分に、該スリット部に挿通される前記ロックボルト周りに互いに間隔を隔てて形成された第１係合部及び第２係合部とから構成され、上記第１係合部は、上記ロックボルトの節溝に該ロックボルトの径方向外方一方側から係合されると共に、上記第２係合部は、上記ロックボルトの節溝に該ロックボルトの径方向外方他方側から係合され、一対の前記分割ピースの一方の前記接合端には前記第１係合部が設けられ、他方の前記分割ピースの前記接合端には前記第２係合部が設けられることを特徴とする。
【００１３】
前記分割ピースはそれぞれ、中空筒体状で形成され、当該中空筒体状の軸方向について、これら分割ピースは両端に、前記ロックボルトのボルト軸を含む前記平面に対し反転可能な前記接合端を有することを特徴とする。
【００１４】
一対の前記分割ピースの間には、これら分割ピースを結合して前記ボルト保持部分を構成するために、これら分割ピース同士を互いに回動自在に連結して接離可能とするヒンジ機構と、これら分割ピース同士を係脱可能に係止する係止手段とが設けられることを特徴とする。
【発明の効果】
【００１５】
本発明にかかるロックボルト用スペーサにあっては、１つの仕様で、異なる複数の外径寸法のロックボルトに適用することができる。
【図面の簡単な説明】
【００１６】
【図１】本発明に係るロックボルト用スペーサの第１実施形態を示す斜視図である。
【図２】図１に示したロックボルト用スペーサの上面図である。
【図３】図１に示したロックボルト用スペーサの正面図である。
【図４】図１のロックボルト用スペーサを構成するボルト保持部分を示す斜視図である。
【図５】図４に示したボルト保持部分を構成する一方の分割ピースを示す斜視図である。
【図６】図４に示したボルト保持部分を構成する他方の分割ピースを示す斜視図である。
【図７】図１のロックボルト用スペーサが、節を有するロックボルトに装着された状態を示す斜視図である。
【図８】図７の要部拡大図である。
【図９】図１のロックボルト用スペーサが装着されたロックボルトと当該ロックボルト用スペーサの包囲体部分との位置関係を説明するための説明図である。
【図１０】本発明に係るロックボルト用スペーサの第２実施形態を示す正面図である。
【図１１】図１０に示したロックボルト用スペーサが、包囲体部分を一体的に備える分割ピースに二つ割りされた状態を示す正面図である。
【図１２】図１０のロックボルト用スペーサが、節を有するロックボルトに装着された状態を説明するための説明図である。
【図１３】本発明に係るロックボルト用スペーサの第３実施形態を示す斜視図である。
【図１４】図１３に示したロックボルト用スペーサの正面図である。
【図１５】図１３のロックボルト用スペーサのボルト保持部分を構成する一方の分割ピースを示す斜視図である。
【図１６】図１３のロックボルト用スペーサのボルト保持部分を構成する他方の分割ピースを示す斜視図である。
【発明を実施するための形態】
【００１７】
以下に、本発明にかかるロックボルト用スペーサの好適な実施形態を、添付図面を参照して詳細に説明する。図１〜図９には、本発明に係るロックボルト用スペーサの第１実施形態が示されている。図１は、第１実施形態に係るロックボルト用スペーサを示す斜視図、図２は、図１に示したロックボルト用スペーサの上面図、図３は、図１に示したロックボルト用スペーサの正面図、図４は、図１のロックボルト用スペーサを構成するボルト保持部分を示す斜視図、図５は、図４に示したボルト保持部分を構成する一方の分割ピースを示す斜視図、図６は、図４に示したボルト保持部分を構成する他方の分割ピースを示す斜視図、図７は、図１のロックボルト用スペーサが、節を有するロックボルトに装着された状態を示す斜視図、図８は、図７の要部拡大図、図９は、図１のロックボルト用スペーサが装着されたロックボルトと当該ロックボルト用スペーサの包囲体部分との位置関係を説明するための説明図である。
【００１８】
ロックボルト１は図７及び図８に示すように、一般周知のように、ネジ節鉄筋や異形鉄筋など、その長さ方向（以下、ボルト軸方向という）に多数の節１ａを有し、節１ａと節１ａの間に節溝１ｂを有して形成される。ロックボルト１は例えば、地山等の法面に形成されたロックボルト挿入用の削孔（図示せず）内に挿入され、当該削孔内に充填されるグラウト材等で法面に定着される。
【００１９】
ロックボルト１の削孔内への挿入操作を案内すると共に、ロックボルトと削孔の内周面との間に間隔を確保するために、本発明に係るロックボルト用スペーサ２が用いられる。ロックボルト用スペーサ２は、削孔へ挿入可能な大きさで形成され、ロックボルト１に装着されて使用に供される。
【００２０】
図１〜図３、図７及び図８に示すように、第１実施形態に係るロックボルト用スペーサ２は、ロックボルト１を保持する機能を備えるボルト保持部分３と、削孔内に挿入されたロックボルト１と削孔の内周面との間に間隔を確保する、すなわち削孔内でグラウト材等に埋設されるロックボルト１の被り厚を確保する機能を備える包囲体部分４とを備えて構成される。
【００２１】
ボルト保持部分３と包囲体部分４は共に、ロックボルト１を保持し得、当該ロックボルト１の削孔内への挿入案内機能を確保し得る必要強度が得られ、かつ曲面加工や折り曲げ加工、打ち抜き加工等の板金加工が可能な肉薄な鋼製板材、例えばバネ鋼板で形成される。
【００２２】
ボルト保持部分３は、追って詳述するが、図４にも示すように、３次元立体構造（おおよそ筒状）のフレーム構造体であって、図示した斜め上方から見下ろすと、その上面３ａ及び下面３ｂが環状形態で形成される。ロックボルト用スペーサ２は、ロックボルト１をそのボルト軸Ｘ回りに回すことで、上面３ａ及び下面３ｂは、上下反対になったり、傾いたり、左右に向くこともある。
【００２３】
具体的には、ボルト保持部分３の当該上面３ａ及び下面３ｂは、放射状のスポーク部３ｃと、スポーク部３ｃを一連に連結する環状のリム部３ｄとで構成される。上面３ａは、ほぼ板形態で形成される一方、下面３ｂには、その周縁からほぼ筒状の周側壁部３ｅが立ち上げ形成されて、ほぼ皿形態で形成される。
【００２４】
ボルト保持部分３の上面３ａと下面３ｂとの間には、後述するロックボルト挿通部５が備えられる。このロックボルト挿通部５にロックボルト１を挿通可能とし、かつ後述する第１係合部６及び第２係合部７をロックボルト１に係合させるスリット部８を形成するために、ボルト保持部分３の上面３ａと下面３ｂとは、一方の面積が他方の面積よりも小さく、かつ面積の小さい方が大きいものの領域の中に納まる関係、図示例では、上面３ａまたは下面３ｂのいずれか一方がほぼ円形に形成され、他方は、この円形と同心で当該円形の領域に納まる楕円形で形成される。上面３ａと下面３ｂの形状が異なることから、それを利用して、周側壁部３ｅにロックボルト１が挿通されるスリット部８が形成される。
【００２５】
包囲体部分４も追って詳述するが、帯板状に形成され、図面表記上、ボルト保持部分３をその上方及び下方から取り囲む環状形態に形成される。ボルト保持部分３の上面３ａ及び下面３ｂ同様、包囲体部分４が取り囲む向きも変わり得る。本実施形態では、包囲体部分４には、帯板状の補助脚部９が一体的に接合して設けられる。
【００２６】
包囲体部分４と補助脚部９とは、ボルト保持部分３の上面３ａ上方及び下面３ｂ下方それぞれにおいて、十字形状に組まれた３次元立体構造（おおよそ球面状）を構成するように、それらの最上部位置及び最下部位置で互いに交差する配置で接合される。
【００２７】
ボルト保持部分３及び補助脚部９が組み込まれた包囲体部分４は、別々の部品として形成しても良いし、一体的に形成しても良い。別々の部品として形成した場合には、これらボルト保持部分３と包囲体部分４とは互いに取り付け取り外し自在に構成される。
【００２８】
ボルト保持部分３には、これを貫通してロックボルト１が挿通される。ロックボルト１は、その節１ａを介して、言い換えれば凸部である節１ａと凹部である節溝１ｂを利用して、ボルト保持部分３に係合可能に挿通される。
【００２９】
ボルト保持部分３は上述したように、環状形態を呈する、おおよそ筒状の３次元立体構造で形成され、当該環状形態は、ボルト保持部分３に挿通されるロックボルト１のボルト軸Ｘを含む平面において現れるように形成される。すなわち、ボルト保持部分３は、ロックボルト１のボルト軸Ｘを含む平面において、環状形態に形成される。ボルト軸Ｘとは、軸体状のロックボルト１の断面中心を当該ロックボルト１の長さ方向に通る軸を言う。
【００３０】
図示によって説明すれば、ロックボルト１は、筒状３次元立体構造のボルト保持部分３の上面３ａと下面３ｂとの間の周側壁部３ｅを貫通するように、ボルト保持部分３に挿通される。そのために、ボルト保持部分３には、ロックボルト１を挿通するためのロックボルト挿通部５が形成される。
【００３１】
ロックボルト挿通部５は、ボルト保持部分３に、ロックボルト１のボルト軸Ｘを含む平面において、ボルト軸方向に相対向する位置に位置させて、２つ一組で形成される。言い換えれば、真っ直ぐなロックボルト１が筒状のボルト保持部分３の周側壁部３ｅを、その一方側面からこれと向かい合う他方側面へ貫通される配置で、２つ一組のロックボルト挿通部５が形成される。
【００３２】
ロックボルト挿通部５は、筒状３次元立体構造のボルト保持部分３の周方向に間隔を隔てて複数、図示例では四組形成される。上述したロックボルト１のボルト軸Ｘを含む平面は、これら複数のロックボルト挿通部５について、共通とされる。すなわち、環状形態のボルト保持部分３における、ロックボルト１のボルト軸Ｘを含む平面は単一のものとして一義的に規定され、ボルト保持部分３に挿通されるいずれのロックボルト１も、当該同一の平面に含まれる。
【００３３】
そしてこれらロックボルト挿通部５は、ボルト保持部分３に係合可能に挿通される種々の外径寸法のロックボルト１個々に対応するように、図示例では４つの異なる外径寸法のロックボルト１に対応させて、個々に異なる寸法で形成される。
【００３４】
詳細には、大きな外径寸法のロックボルト１に対しては、それが係合可能（小さな外径寸法のロックボルト１は係合不能）なように、ロックボルト挿通部５は大きな寸法で形成され、小さな外径寸法のロックボルト１に対しても、それが係合可能（大きな外径寸法のロックボルト１は挿通不能）なように、ロックボルト挿通部５は小さな寸法で形成される。
【００３５】
ロックボルト挿通部５は、ボルト保持部分３の周側壁部３ｅの半周領域において、異なる寸法のものが配列される。ロックボルト挿通部５には、それら複数個のうちのいずれか１つに、１本のロックボルト１が挿通され、ロックボルト１は、ロックボルト用スペーサ２が備える環状形態の、本実施形態ではおおよそ筒状の３次元立体構造のボルト保持部分３に保持される。
【００３６】
ボルト保持部分３に備えられるロックボルト挿通部５個々は、図４〜図８に示すように、ボルト保持部分３に形成された上記スリット部８と上記第１係合部６及び第２係合部７とから構成される。第１係合部６と第２係合部７は、スリット部８を介して挿通されるロックボルト１の外回りに互いに間隔を隔てて、具体的には、第１係合部６はボルト保持部分３の上面３ａ側に、第２係合部７はボルト保持部分３の下面３ｂ側に、ロックボルト１を挟んで互いに向かい合うように間隔を隔てて設けられる。
【００３７】
本実施形態では、ボルト保持部分３の上面３ａが下面３ｂの領域に納まる形態であることから、第１係合部６と第２係合部７とは、ロックボルト１のボルト軸方向にも間隔を隔てて設けられる。
【００３８】
第１係合部６は、ボルト保持部分３の上面３ａのリム部３ｄに、ロックボルト１に向かって下方に折り曲げることで形成された爪状であり、この第１係合部６は、ロックボルト１の節溝１ｂに挿入されて、節１ａにその径方向外方一方側から係合される。第１係合部６は、四組のロックボルト挿通部５として８箇所に形成されるが、これら８箇所の第１係合部６は、これらを連続的につなげた形態で形成してもよい。
【００３９】
第２係合部７は、ボルト保持部分３の下面３ｂのリム部３ｄからロックボルト１に向かって上方に折り曲げることで形成された周側壁部３ｅに形成された切り欠き状であり、この第２係合部７も、ロックボルト１の節溝１ｂに挿入されて、節１ａに対し、第１係合部６とは異なる径方向外方他方側から係合される。これにより、ロックボルト１はその節１ａを介して、当該ロックボルト１周りにかつボルト軸方向に異なる位置で、ボルト保持部分３に係合された状態で挿通される。
【００４０】
本実施形態では、ボルト保持部分３はさらに、図４〜図６に示すように、これに挿通される複数のロックボルト１のボルト軸Ｘによって規定される当該ボルト軸Ｘを含む単一の平面もしくはこれとほぼ並行な平面で２つ割りされた一対の分割ピース３Ｘ，３Ｙで構成される。
【００４１】
言い換えれば、分割ピース３Ｘ，３Ｙは、周側壁部３ｅに配列される複数のロックボルト挿通部５すべてについて、これらを一括して分かつようにして形成される。具体的には、分割ピース３Ｘ，３Ｙはそれぞれ、板形態の上面３ａ側部分と、周側壁部３ｅを含む下面３ｂ側部分とされる。
【００４２】
これら分割ピース３Ｘ，３Ｙには、図５及び図６に示すように、筒状３次元立体構造の周側壁部３ｅに形成された係合穴１０と、上面３ａのリム部３ｄに、下面３ｂ側に向かって折り曲げることで形成され、係合穴１０に係脱自在に係合される弾性変形可能な鈎状部１１とが形成され、これら鈎状部１１と係合穴１０とを係合することにより、周側壁部３ｅ上縁及び上面３ａのリム部３ｄ外縁を接合端３ｆとしてこれら分割ピース３Ｘ，３Ｙが互いに接合され、接合された分割ピース３Ｘ，３Ｙにより、ボルト保持部分３が構成される。
【００４３】
従って、ボルト保持部分３が分割ピース３Ｘ，３Ｙから構成されることを考慮した場合、第１係合部６は、一方の分割ピース３Ｘの接合端３ｆであるボルト保持部分３の上面３ａのリム部３ｄに設けられ、第２係合部７は、他方の分割ピース３Ｙの接合端３ｆであるボルト保持部分３の周側壁部３ｅに設けられる。
【００４４】
そして、ロックボルト１は、２つ割りに開いた状態の分割ピース３Ｘ，３Ｙの間に位置させておくことで、これら一対の分割ピース３Ｘ，３Ｙをそれらの接合端３ｆで互いに接合してボルト保持部分３を構成するときに、当該ボルト保持部分３のロックボルト挿通部５に係合状態で挿通される。
【００４５】
本実施形態ではさらに、一対の分割ピース３Ｘ，３Ｙ間に、ロックボルト挿通部５を開閉式とするように、これら分割ピース３Ｘ，３Ｙ相互を結合保持する構成が備えられる。もちろん、上記鈎状部１１と係合穴１０の構成だけをボルト保持部分３の周方向に２つ以上備えて、一対の分割ピース３Ｘ，３Ｙをバラバラに分離できる組み立て式としても良い。
【００４６】
一方の分割ピース３Ｘを構成する板形態を呈する上面３ａのリム部３ｄ及び他方の分割ピース３Ｙを構成する皿形態を呈する下面３ｂ側の周側壁部３ｅには、ヒンジ突起１２がそれぞれ形成されると共に、これらヒンジ突起１２相互を貫通してヒンジピン１３が設けられ、これにより、分割ピース３Ｘ，３Ｙ同士を互いに回動自在に連結して開閉式に接離可能とするヒンジ機構１４が構成される。
【００４７】
この場合、上記係合穴１０と上記鈎状部１１とは、分割ピース３Ｘ，３Ｙ同士を係脱可能に係止して、これら分割ピース３Ｘ，３Ｙを接合状態にロックする係止手段１５として機能される。
【００４８】
次に、包囲体部分４について説明すると、当該帯板状の包囲体部分４は図１〜図３及び図７に示すように、ボルト保持部分３に挿通されるロックボルト１のボルト軸Ｘと直交する断面形態が削孔の内周面全周に沿う環状に形成される。また、包囲体部分４は、ロックボルト１のボルト軸Ｘが当該環状の断面形態の中心を含む中央領域に位置するように、ボルト軸Ｘ周りにロックボルト１の外周囲を取り囲むように配置される。
【００４９】
包囲体部分４は断面形態が環状に形成されるので、それは中心を有し、その中心にボルト軸Ｘが位置すれば、包囲体部分４の当該中心位置にロックボルト１が挿通されるが、それに限らず、ほぼ中心位置という意味で、中心を含む中央領域にロックボルト１が挿通される位置関係であればよい。
【００５０】
ボルト保持部分３には、複数のロックボルト挿通部５が形成され、それらのいずれかのロックボルト挿通部５に単一のロックボルト１が挿通されることに対応するため、包囲体部分４は、複数のロックボルト１のボルト軸Ｘと直交し得る幅の帯板状に形成される。
【００５１】
図９は、図１のロックボルト用スペーサ２が装着されたロックボルト１と包囲体部分４との位置関係を説明するための説明図であって、図９（Ａ）は、４組のロックボルト挿通部５のうち、２組のロックボルト挿通部５を対象とした包囲体部分４の配置状態を説明する図、図９（Ｂ）は、他の２組のロックボルト挿通部５を対象とした包囲体部分４の配置状態を説明する図である。
【００５２】
図９（Ａ）では、図示の関係でおおよそ左右方向に挿通される２種類のロックボルト１Ｐ，１Ｑのボルト軸ＸＰ，ＸＱに対し、包囲体部分４が、それら双方に対して直交する断面位置ＳＰ，ＳＱ（当該位置では包囲体部分４は断面円形、分割ピース３Ｘ，３Ｙの構成を備えた場合では断面半円形）を有する幅を備えることが示されている。
【００５３】
図９（Ｂ）でも、図示の関係でおおよそ上下方向に挿通される他の２種類のロックボルト１Ｒ，１Ｓのボルト軸ＸＲ，ＸＳに対し、包囲体部分４のボルト保持部分３への設置位置を変えること、すなわち９０°変えることで、包囲体部分４が、それら双方に対して直交する断面位置ＳＲ，ＳＳ（当該位置では包囲体部分４は断面円形、分割ピース３Ｘ，３Ｙの構成を備えた場合では断面半円形）を有する幅を備えることが示されている。
【００５４】
これにより、ボルト保持部分３に保持されるロックボルト１は、包囲体部分４によって、３次元立体構造のロックボルト用スペーサ２のほぼ中心位置を経過するように挿通される。
【００５５】
包囲体部分４はまた、図示しないけれども、削孔の内周面に摺接可能な寸法の環状形態に形成され、ロックボルト用スペーサ２は、その包囲体部分４が削孔の内周面に対して摺れ合うことが可能な状態で移動されることで、削孔内へ挿入される。従って、ロックボルト１は、削孔内への挿入が案内される際、ロックボルト用スペーサ２の中心位置に保持されることにより、削孔の中心軸である孔軸の位置に合わせて、削孔内へ挿入され得る。
【００５６】
包囲体部分４は、本実施形態にあっては、分割ピース３Ｘ，３Ｙに合わせて二つ割りにされ、環状形態が、ボルト保持部分３の上面３ａ側と下面３ｂ側とでアーチ状形態とされて形成される。補助脚部９も、包囲体部分４と同様に、ボルト保持部分３の上面３ａ側と下面３ｂ側とに分けて、アーチ状形態で形成される。
【００５７】
包囲体部分４は、アーチ状形態の弾性変形可能な補助脚部９の両端に形成した引っ掛け部１６を、ボルト保持部分３の上面３ａ及び下面３ｂそれぞれに互いに向かい合う配置で設けた掛け止め部１７に係脱自在に掛け止めすることにより、ボルト保持部分３に取り付け取り外し自在に設けられる。
【００５８】
掛け止め部１７は図示例では、ボルト保持部分３の周方向に沿って９０°間隔で４つ設けられ、これにより、補助脚部９及び包囲体部分４は９０°位置を変えて、ボルト保持部分３に取り付けることができるようになっている。ボルト保持部分３に、補助脚部９を有する包囲体部分４を取り付けることにより、フレーム構造体で成る、ほぼ中空球体状の三次元立体構造のロックボルト用スペーサ２が構成される。
【００５９】
また、ロックボルト用スペーサ２は、これに挿通されたロックボルト１に対し、削孔へ充填されるグラウト材等が流れ込んでその周囲を埋め尽くすように、全体がロックボルト１周りに空隙を形成するフレーム構造体として構成される。すなわち、グラウト材等は、十字状形態の包囲体部分４及び補助脚部９、包囲体部分４に形成した流通孔１８、スポーク部３ｃやリム部３ｄ、スリット部８等を含むボルト保持部分３を通じて、ロックボルト用スペーサ２内部にスムーズに流入し得るようになっている。
【００６０】
次に、第１実施形態に係るロックボルト用スペーサ２の作用について説明する。ロックボルト１をロックボルト用スペーサ２に装着する際には、まず、包囲体部分４を取り外した状態で、ボルト保持部分３を構成する一対の分割ピース３Ｘ，３Ｙを、ヒンジ機構１４を介して、２つ割りに開いた状態にする。これにより、すべてのロックボルト挿通部５も二つ割りとされる。
【００６１】
使用するロックボルト１を、その外径寸法に合致するいずれか１つのロックボルト挿通部５に配置する。配置する際には、ロックボルト１を一方の分割ピース、例えばボルト保持部分３の下面３ｂを備える分割ピース３Ｙに対し、当該ロックボルト１を下面３ｂと重なり合うように配置し、これにより、第２係合部７にロックボルト１の節溝１ｂを係合させるようにする。
【００６２】
次いで、ヒンジ機構１４を介して一対の分割ピース３Ｘ，３Ｙを閉じるようにし、さらに、係合穴１０に鈎状部１１を係止して、分割ピース３Ｘ，３Ｙを接合状態とする。分割ピース３Ｘ，３Ｙを接合状態とすると、第１係合部６がロックボルト１の節溝１ｂに係合されると同時に、ボルト保持部分３のロックボルト挿通部５にロックボルト１が係合可能に挿通される。
【００６３】
次いで、挿通を完了したロックボルト１のボルト軸方向と直交する断面形態が環状となる向きで、包囲体部分４をボルト保持部分３に取り付ける。包囲体部分４を取り付ける際には、補助脚部９の引っ掛け部１６を、ボルト保持部分３の掛け止め部１７に掛け止めする。これにより、図７に示したように、節１ａを有するロックボルト１に、ロックボルト挿入用の削孔へのロックボルト１の挿入を案内するためのロックボルト用スペーサ２が装着される。
【００６４】
ロックボルト１と包囲体部分４との向きが分かっている場合には、ボルト保持部分３にロックボルト１を挿通する前に予め、包囲体部分４を分割ピース３Ｘ，３Ｙ、ひいてはボルト保持部分３に取り付けておいても良い。
【００６５】
ロックボルト１を地山等に施工する際には、ロックボルト用スペーサ２を装着したままで、ロックボルト１を削孔内方へ挿入していく。ロックボルト用スペーサ２により、削孔の孔軸位置に合うように、ロックボルト１の挿入操作が案内される。
【００６６】
ボルト保持部分３に挿通されたロックボルト１は、環状の包囲体部分４によって、そのボルト軸Ｘが包囲体部分４の中心もしくはその近辺に位置され、かつ当該ボルト軸Ｘ周りにその外周囲が取り囲まれると同時に、包囲体部分４が削孔の内周面に摺接可能であるので、第１に、ロックボルト１には、それより包囲体部分４まで、当該ロックボルト１の外周囲全周にわたって均等な被り厚を確保することができ、第２に、包囲体部分４が削孔の内周面全周と摺接する場合には、ロックボルト１の外周囲に、削孔内周面全周で均等な被り厚を確保することができる。
【００６７】
第２の場合には、削孔の孔軸とロックボルト１のボルト軸Ｘが一致した状態での挿入操作を確保することができる。
【００６８】
ロックボルト１の削孔への挿入操作が完了した後は、ロックボルト用スペーサ２を残したままで、削孔内にグラウト材等が充填され、このグラウト材等により、ロックボルト１が削孔内部に定着される。
【００６９】
フレーム構造体で成るロックボルト用スペーサ２には、上述したようにその各所に空隙が備えられていて、グラウト材等は空隙を介してロックボルト１の外周囲に流れ込むことができ、これにより、グラウト材等にその全周囲が接触した状態でロックボルト１を削孔中に埋設することができる。
【００７０】
以上説明した第１実施形態に係るロックボルト用スペーサ２にあっては、ロックボルト１がその節１ａを介して係合可能に挿通されるボルト保持部分３と、ボルト保持部分３に挿通されるロックボルト１の外周囲を取り囲むと共に、削孔の内周面に摺接可能な包囲体部分４とを備え、ボルト保持部分３は、ロックボルト１のボルト軸Ｘを含む平面において、環状形態に形成され、ボルト保持部分３には、これに係合可能に挿通されるロックボルト１のボルト軸Ｘを含む平面におけるボルト軸方向に相対向する位置に位置させて、２つで一組のロックボルト挿通部５が、当該ボルト保持部分３の周方向に間隔を隔てて複数形成され、これらロックボルト挿通部５は、異なる外径寸法のロックボルト１それぞれに対応する異なる寸法で形成されるので、１つのロックボルト用スペーサ２を複数異なる外径寸法のロックボルト１に適用することができる。
【００７１】
ロックボルト挿通部５は、ボルト保持部分３に形成されたスリット部８と、ボルト保持部分３に、スリット部８に挿通されるロックボルト１周りに互いに間隔を隔てて形成された第１係合部６及び第２係合部７とから構成され、第１係合部６は、ロックボルト１の節溝１ｂにその径方向外方一方側から係合されると共に、第２係合部７は、ロックボルト１の節溝１ｂにその径方向外方他方側から係合されるので、削孔内への挿入を案内する際に、ロックボルト１がロックボルト用スペーサ２に対し強固に固定されてボルト軸方向に位置ずれすることを確実に防止でき、挿入操作を容易かつ的確に実施することができる。
【００７２】
ボルト保持部分３は、これに挿通されるロックボルト１のボルト軸Ｘを含む平面もしくはこれと並行な平面で二つ割りされた一対の分割ピース３Ｘ，３Ｙの接合端３ｆを互いに接合して構成されるので、ロックボルト１をロックボルト挿通部５に差し込むように挿通する煩雑さを避けて、ボルト保持部分３を割って開いた状態を利用して、ロックボルト１をボルト保持部分３に簡単に挿通することができる。
【００７３】
一対の分割ピース３Ｘ，３Ｙの一方の接合端３ｆには第１係合部６が設けられ、他方の分割ピース３Ｙの接合端３ｆには第２係合部７が設けられるので、分割ピース３Ｘ，３Ｙを接合する操作を利用して、第１係合部６及び第２係合部７をロックボルト１に係合させることができ、軽い操作でロックボルト１を分割ピース３Ｘ，３Ｙ、ひいてはボルト保持部分３に係合させることができる。
【００７４】
一対の分割ピース３Ｘ，３Ｙの間には、これら分割ピース３Ｘ，３Ｙを結合してボルト保持部分３を構成するために、これら分割ピース３Ｘ，３Ｙ同士を互いに回動自在に連結して接離可能とするヒンジ機構１４と、これら分割ピース３Ｘ，３Ｙ同士を係脱可能に係止する係止手段１５とが設けられるので、一般的な容器の開閉蓋を開け閉めする要領で、スピーディかつ容易に軽快な操作でロックボルト１をロックボルト用スペーサ２に装着することができる。
【００７５】
図１０〜図１２には、本発明に係るロックボルト用スペーサの第２実施形態が示されている。図１０は、第２実施形態に係るロックボルト用スペーサを示す正面図、図１１は、図１０に示したロックボルト用スペーサが、包囲体部分を一体的に備える分割ピースに二つ割りされた状態を示す正面図、図１２は、図１０のロックボルト用スペーサが、節を有するロックボルトに装着された状態を説明するための説明図である。
【００７６】
第２実施形態に係るロックボルト用スペーサ２は、ボルト保持部分３に包囲体部分４が一体的に形成されて、全体が中空球体状に形成され、各分割ピース３Ｘ，３Ｙはそれを２つ割りした中空半球状に形成される。ボルト保持部分３及び包囲体部分４は、上記第１実施形態と同様の機能を備え、同様の作用効果を奏する。分割ピース３Ｘ，３Ｙも、第１係合部６及び第２係合部７を備えていないことを除き、上記第１実施形態とほぼ同様に構成され、同様の作用効果を奏する。
【００７７】
図示例では、ロックボルト１のボルト軸Ｘは、中空球体状のロックボルト用スペーサ２の中心位置を含む平面に含まれる。第２実施形態では、ロックボルト挿通部５は、ボルト保持部分３に貫通して形成された穴１９で構成される。第２実施形態では、ボルト保持部分３には、第１実施形態の上面及び下面に相当する部位は備えられていない。
【００７８】
穴１９は、複数の異なる外径寸法のロックボルト１を挿入可能とするために、それらロックボルト１の外径寸法それぞれに対応する異なる穴径で形成される。ボルト保持部分３は、穴１９であっても、その穴縁にロックボルト１の節１ａが係合可能である。ボルト保持部分３は、ヒンジ機構１４で開閉式に接離される一対の分割ピース３Ｘ，３Ｙを接合して構成され、分割ピース３Ｘ，３Ｙの接合端３ｆには、これら分割ピース３Ｘ，３Ｙが接合されることで穴１９を形成する切り欠き２０が形成される。
【００７９】
また、第２実施形態に係るロックボルト用スペーサ２には、中空球体状のその内部へのグラウト材等の充填を確保するために、適宜箇所に流通孔１８が形成される。
【００８０】
第２実施形態に係るロックボルト用スペーサ２にあっては、ロックボルト挿通部５が、ボルト保持部分３に、これを貫通して形成された穴１９であるので、容易に製作することができる。
【００８１】
各分割ピース３Ｘ，３Ｙの接合端３ｆそれぞれには、これら分割ピース３Ｘ，３Ｙが接合されることで穴１９を形成する切り欠き２０が形成されるので、切断加工のみで、ロックボルト挿通部５を簡単に作成することができる。
【００８２】
ボルト保持部分３に包囲体部分４を一体的に形成したので、これらの組み立てを行うことなく、ロックボルト用スペーサ２を形成できる。
【００８３】
ロックボルト用スペーサ２を中空球体状に形成したので、いずれのロックボルト挿通部５にロックボルト１を挿通しても、ロックボルト１のボルト軸Ｘと直交する断面形態が必ず、削孔の内周面全周に沿う環状の包囲体部分４を確保することができる。
【００８４】
その他の構成は、上記第１実施形態とほぼ同様である。このような第２実施形態にあっても、上記第１実施形態と同様の作用効果を奏することはもちろんである。
【００８５】
図１３〜図１６には、本発明に係るロックボルト用スペーサの第３実施形態が示されている。図１３は、第３実施形態に係るロックボルト用スペーサを示す斜視図、図１４は、図１３に示したロックボルト用スペーサの正面図、図１５は、図１３のロックボルト用スペーサのボルト保持部分を構成する一方の分割ピースを示す斜視図、図１６は、図１３のロックボルト用スペーサのボルト保持部分を構成する他方の分割ピースを示す斜視図である。
【００８６】
第３実施形態に係るロックボルト用スペーサ２は、ボルト保持部分３を構成する分割ピース３Ｘ，３Ｙに関し、一対の分割ピース３Ｘ，３Ｙが共に、反転可能な中空筒体状に形成される。すなわち、分割ピース３Ｘ，３Ｙはそれぞれ、中空筒体状で形成され、当該中空筒体状の軸方向について、これら分割ピース３Ｘ，３Ｙは両端に、上述のロックボルト１のボルト軸Ｘを含む平面に対し反転可能な接合端３ｆを有する。反転可能とは、反転しても分割ピース３Ｘ，３Ｙ同士の接合に変わりがないことを意味する。分割ピース３Ｘ，３Ｙは、中空筒体状の軸方向両端、図示に従えば上下高さ方向両端が接合端３ｆとされる。
【００８７】
各分割ピース３Ｘ，３Ｙには、それらの筒面に形成された上記係合穴１０と、それらの筒面から互いに他方の分割ピース３Ｙ，３Ｘの係合穴１０位置に向かって突設され、係合穴１０に係脱自在に係合される弾性変形可能な上記鈎状部１１とが形成され、これら鈎状部１１と係合穴１０とを係合させることにより、中空筒体状の軸方向両端を接合端３ｆとして、これら分割ピース３Ｘ，３Ｙが互いに接合され、接合された分割ピース３Ｘ，３Ｙにより、中空筒状を呈するボルト保持部分３が構成される。
【００８８】
従って、第３実施形態に係るロックボルト用スペーサ２では、開閉式に操作するヒンジ機構等は備えられておらず、ボルト保持部分３は、鈎状部１１を係合穴１０へ差し込む方式で組み立てられる。ロックボルト挿通部５は、第２実施形態と同様に、穴１９で構成される。従って、各分割ピース３Ｘ，３Ｙには、第２実施形態と同様に、それらの接合端３ｆに、これら分割ピース３Ｘ，３Ｙが接合されることで穴１９を形成する切り欠き２０が形成される。
【００８９】
第３実施形態の分割ピース３Ｘ，３Ｙには、中空筒体状の軸方向両端が接合端３ｆとされるので、当該軸方向両端それぞれに切り欠き２０が形成される。そして、第３実施形態では、２つの接合端３ｆを有してそれらに切り欠き２０を有する分割ピース３Ｘ，３Ｙを反転して接合することが可能なので、換言すれば、反転可能であることにより、ロックボルト１のボルト軸Ｘを含む平面が、中空筒体状の分割ピース３Ｘ，３Ｙの軸方向両端の２つの接合端３ｆに対応して、２つ備えられる。
【００９０】
このため、第３実施形態では、接合端３ｆが単一の分割ピース３Ｘ，３Ｙを用いる第１実施形態とは異なり、より数多くのロックボルト挿通部５を分割ピース３Ｘ，３Ｙ、ひいてはボルト保持部分３に備えて、より多くの異なる外径寸法のロックボルト１に適用することができる。
【００９１】
言い換えれば、第３実施形態に係るロックボルト用スペーサ２であれば、同数のロックボルト挿通部５を備える場合、ボルト保持部分３の寸法を、第１実施形態よりも、よりコンパクトに形成することができる。
【００９２】
第３実施形態のボルト保持部分３には、第２実施形態と同様に、第１実施形態のボルト保持部分の上面及び下面は備えられていない。その他の構成は、上記第１実施形態とほぼ同様である。このような第３実施形態にあっても、上記第１実施形態と同様の作用効果を奏することはもちろんである。
【００９３】
第３実施形態で説明した反転可能方式は、上記第１実施形態に適用してもよいことはもちろんである。また、第１及び第２実施形態で説明したヒンジ機構１４等による開閉方式は、各分割ピース３Ｘ，３Ｙの反転される接合端３ｆそれぞれにヒンジ突起１２を設けると共に、ヒンジピン１３を着脱自在として、第３実施形態に適用してもよいことはもちろんである。
【符号の説明】
【００９４】
１  ロックボルト
１ａ  ロックボルトの節
１ｂ  ロックボルトの節溝
２  ロックボルト用スペーサ
３  ボルト保持部分
３Ｘ，３Ｙ  分割ピース
３ｆ  分割ピースの接合端
４  包囲体部分
５  ロックボルト挿通部
６  第１係合部
７  第２係合部
８  スリット部
１４  ヒンジ機構
１５  係止手段
１９  穴
２０  切り欠き
Ｘ  ロックボルトのボルト軸
【図１】
0006637718.tif 000002
【図２】
0006637718.tif 000003
【図３】
0006637718.tif 000004
【図４】
0006637718.tif 000005
【図５】
0006637718.tif 000006
【図６】
0006637718.tif 000007
【図７】
0006637718.tif 000008
【図８】
0006637718.tif 000009
【図９】
0006637718.tif 000010
【図１０】
0006637718.tif 000011
【図１１】
0006637718.tif 000012
【図１２】
0006637718.tif 000013
【図１３】
0006637718.tif 000014
【図１４】
0006637718.tif 000015
【図１５】
0006637718.tif 000016
【図１６】
0006637718.tif 000017